【手続補正書】
【提出日】平成17年3月9日(2005.3.9)
【手続補正１】
【補正対象書類名】明細書
【補正対象項目名】発明の名称
【補正方法】変更
【補正の内容】
【発明の名称】端末装置及びデータ送受信システム
【手続補正２】
【補正対象書類名】明細書
【補正対象項目名】特許請求の範囲
【補正方法】変更
【補正の内容】
【特許請求の範囲】
【請求項１】
外部装置とネットワークを介して接続された端末装置であって、上記外部装置に上記ネットワークを介し所定のデータを送信するデータ送信手段と、上記外部送信から上記ネットワークを介して送信される所定のデータを受信するデータ受信手段と、当該端末装置の能力情報を所定の形式で記述した上記外部装置とのセッションを開始するためのセッション開始要求メッセージを生成するセッション開始要求メッセージ生成手段と、上記セッション開始要求メッセージ生成手段で生成された上記セッション開始要求メッセージを上記ネットワークを介して上記外部装置に送信するセッション開始要求メッセージ送信手段と、上記外部装置から送信される上記セッション開始要求メッセージに対する応答メッセージを受信する応答メッセージ受信手段と、上記応答メッセージ受信手段によって受信された応答メッセージに所定の形式で記述された上記外部装置の能力情報を解析する能力情報解析手段と、上記能力情報解析手段による解析結果、及び、当該端末装置の能力情報に基づいて、当該端末装置と、上記外部装置との上記ネットワークを介した通信形態を決定する通信形態決定手段と、上記通信形態決定手段で決定された通信形態を通知する通信形態通知メッセージを上記外部装置に送信する通信形態通知メッセージ送信手段と、上記通信形態決定手段によって決定された通信形態に基づいて、上記データ送信手段で送信するデータを上記外部装置で受信可能なデータに変換し、上記外部装置から送信されるデータを上記データ受信手段で受信可能なデータに変換するよう上記ネットワーク上に接続されたデータ変換装置を制御する制御手段を備えることを特徴とする端末装置。
【請求項２】
当該端末装置のセッション開始要求生成手段で生成されるセッション開始要求メッセージ、及び、上記外部装置で生成される応答メッセージは、ＳＩＰ（Session Initiation Protocol）［ＲＦＣ２５４３］に準じていることを特徴とする請求項１記載の端末装置。
【請求項３】
当該端末装置のセッション開始要求メッセージ生成手段は、上記セッション開始要求メッセージに当該端末装置の能力情報をテキスト形式で記述することを特徴とする請求項２記載の端末装置。
【請求項４】
上記制御手段で制御可能な、上記ネットワーク上に接続されたデータ変換装置は、データのメディアフォーマットを変換することを特徴とする請求項１記載の端末装置。
【請求項５】
当該端末装置の能力情報として当該端末装置が利用可能なメディアフォーマット情報、及び、当該端末装置の制御手段で制御可能な上記ネットワーク上に接続されたデータ変換装置で変換可能なメディアフォーマット変換可能情報を含むことを特徴とする請求項１記載の端末装置。
【請求項６】
当該端末装置の通信形態決定手段は、ネットワーク特性に基づいて、当該端末装置が制御するデータ変換装置を使用するか、上記外部装置が制御するデータ変換装置を使用するかどうかを決定することを特徴とする請求項１記載の端末装置。
【請求項７】
外部装置とネットワークを介して接続された端末装置であって、上記外部装置から上記ネットワークを介して送信される所定のデータを受信するデータ受信手段と、上記外部装置に上記ネットワークを介し所定のデータを送信するデータ送信手段と、上記外部装置から送信される上記外部装置の能力情報を所定の形式で記述した、セッションを開始するためのセッション開始要求メッセージを受信するセッション開始要求メッセージ受信手段と、上記セッション開始要求メッセージ受信手段によって受信されたセッション開始要求メッセージに記述された上記外部装置の能力情報を解析する能力情報解析手段と、上記能力情報解析手段による解析結果、及び、当該端末装置の能力情報に基づいて、上記外部装置と、当該端末装置との上記ネットワークを介した通信形態の候補を選択する通信形態選択手段と、上記通信形態選択手段によって選択された通信形態の候補を示す通信形態候補情報を含む当該端末装置の能力情報を所定の形式で記述した上記セッション開始要求メッセージの応答である応答メッセージを生成する応答メッセージ生成手段と、上記応答メッセージ生成手段によって生成される上記応答メッセージを上記ネットワークを介し上記外部装置に送信する応答メッセージ送信手段と、上記外部装置で決定され、送信される通信形態を通知するための通信形態通知メッセージを受信する通信形態通知メッセージ受信手段と、上記通信形態通知メッセージ受信手段によって受信した上記通信形態通知メッセージに基づいて、上記データ送信手段で送信するデータを上記外部装置で受信可能なデータに変換し、上記外部装置から送信されるデータを上記データ受信手段で受信可能なデータに変換するよう上記ネットワーク上に接続されたデータ変換装置を制御する制御手段を備えることを特徴とする端末装置。
【請求項８】
上記外部装置で生成されるセッション開始要求メッセージ、及び、当該端末装置の応答メッセージ生成手段で生成される応答メッセージは、ＳＩＰ［ＲＦＣ２５４３］に準じていることを特徴とする請求項７記載の端末装置。
【請求項９】
当該端末装置の応答メッセージ生成手段は、上記応答メッセージに当該端末装置の能力情報をテキスト形式で記述することを特徴とする請求項８記載の端末装置。
【請求項１０】
上記制御手段で制御可能な、上記ネットワーク上に接続されたデータ変換装置は、データのメディアフォーマットを変換することを特徴とする請求項７記載の端末装置。
【請求項１１】
上記外部装置の能力情報として上記外部装置が利用可能な第１のメディアフォーマット情報、及び、上記外部装置で制御可能な上記ネットワーク上に接続されたデータ変換装置で変換可能な第１のメディアフォーマット変換可能情報を含み、当該端末装置の能力情報として当該端末装置が利用可能な第２のメディアフォーマット情報、及び、当該端末装置の上記制御手段で制御可能な上記ネットワーク上に接続されたデータ変換装置で変換可能な第２のメディアフォーマット変換可能情報を含み、上記通信形態選択手段は、上記第１のメディアフォーマット情報、上記第２のメディアフォーマット変換可能情報、及び、上記第２のメディアフォーマット情報、上記第２のメディアフォーマット変換可能情報に基づいて通信形態を選択することを特徴とする請求項１０記載の端末装置。
【請求項１２】
ネットワークに接続された第1のデータ送受信手段を有する第1の端末装置と、第2のデータ送受信手段を有する第2の端末装置とを備えるデータ送受信システムであって、上記第１の端末装置は、当該第１の端末装置の能力情報を所定の形式で記述した上記第２の端末装置とのセッションを開始するためのセッション開始要求メッセージを生成するセッション開始要求メッセージ生成手段と、上記セッション開始要求メッセージ生成手段で生成された上記セッション開始要求メッセージを上記ネットワークを介して上記第２の端末装置に送信するセッション開始要求メッセージ送信手段と、上記第２の端末装置から送信される上記セッション開始要求メッセージに対する応答メッセージを受信する応答メッセージ受信手段と、上記応答メッセージ受信手段によって受信された応答メッセージに所定の形式で記述された上記第２の端末装置の能力情報を解析する第１の能力情報解析手段と、上記第１の能力情報解析手段による解析結果、及び、当該第１の端末装置の能力情報に基づいて、当該第１の端末装置と、上記第２の端末装置との上記ネットワークを介した通信形態を決定する通信形態決定手段と、上記通信形態決定手段で決定された通信形態を通知する通信形態通知メッセージを上記第２の端末装置に送信する通信形態通知メッセージ送信手段と、上記通信形態決定手段によって決定された通信形態に基づいて、上記第1のデータ送受信手段で送信するデータを上記第２の端末装置で受信可能なデータに変換し、上記第2の端末装置の第2のデータ送受信手段から送信され上記第1のデータ送受信手段で受信するデータを当該第1の端末装置で受信可能なデータに変換するよう上記ネットワーク上に接続されたデータ変換装置を制御する第１の制御手段とを有し、上記第２の端末装置は、上記セッション開始要求メッセージ送信手段によって送信されるセッション開始要求メッセージを受信するセッション開始要求メッセージ受信手段と、上記セッション開始要求メッセージ受信手段によって受信されたセッション開始要求メッセージに記述された上記第１の端末装置の能力情報を解析する第２の能力情報解析手段と、上記第２の能力情報解析手段による解析結果、及び、当該第２の端末装置の能力情報に基づいて、当該データ送受信システムにおける通信形態の候補を選択する通信形態選択手段と、上記通信形態選択手段によって選択された通信形態の候補を示す通信形態候補情報を含む当該第２の端末装置の能力情報を所定の形式で記述した上記セッション開始要求メッセージの応答である上記応答メッセージを生成する応答メッセージ生成手段と、上記応答メッセージ生成手段によって生成される上記応答メッセージを上記ネットワークを介し上記第１の端末装置に送信する応答メッセージ送信手段と、上記第１の端末装置の通信形態通知メッセージ送信手段から送信される通信形態通知メッセージを受信する通信形態通知メッセージ受信手段と、上記通信形態通知メッセージ受信手段によって受信した上記通信形態通知メッセージに基づいて、上記第２のデータ送受信手段で送信するデータを上記第１の端末装置で受信可能なデータに変換し、上記第1の端末装置の第1のデータ送受信手段から送信され上記第２のデータ送受信手段���受信するデータを当該第２の端末装置で受信可能なデータに変換するよう上記ネットワーク上に接続されたデータ変換装置を制御する第２の制御手段とを有することを特徴とするデータ送受信システム。
【手続補正３】
【補正対象書類名】明細書
【補正対象項目名】０００１
【補正方法】変更
【補正の内容】
【０００１】
【発明の属する技術分野】
本発明は、双方向セッションを開始する際に実行されるネットワークネゴシエーションに関するものであり、詳しくは、端末装置の所定の能力情報を通知することで最適な通信形態を決定する端末装置及びデータ送受信システムに関する。
【手続補正４】
【補正対象書類名】明細書
【補正対象項目名】０００９
【補正方法】変更
【補正の内容】
【０００９】
そこで、本発明は上述したような問題を解決するために案出されたものであり、端末装置が備える能力に応じた最適な通信形態を自動的に設定し、セッションを開始することを可能とする端末装置及びデータ送受信システムを提供することを目的とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
【発明の実施の形態】
以下、本発明に係る端末装置及びデータ送受信システムの実施の形態を図面を参照にして詳細に説明する。
【手続補正７】
【補正対象書類名】明細書
【補正対象項目名】０１１２
【補正方法】削除
【補正の内容】